【手続補正書】
【提出日】平成25年3月12日(2013.3.12)
【手続補正１】
【補正対象書類名】明細書
【補正対象項目名】００１７
【補正方法】変更
【補正の内容】
【００１７】
本発明に係る装置は、反復埋め込み方式のコードを含む原稿をスキャンするスキャン手段と、スキャン画像に単純埋め込み方式のコードを合成する設定が行われたか、反復埋め込み方式のコードを合成する設定が行われたかを判定する判定手段と、前記判定手段でスキャン画像に単純埋め込み方式のコードを合成する設定が行われたと判定した場合には、前記スキャンにより得られたスキャン画像と前記単純埋め込み方式のコードを合成する合成手段と、印刷手段とを有し、前記印刷手段は、前記判定手段でスキャン画像に単純埋め込み方式のコードを合成する設定が行われたと判定した場合には、前記合成手段による合成結果を印刷し、前記判定手段でスキャン画像に対して反復埋め込み方式のコードを合成する設定が行われたと判定した場合には、前記スキャンにより得られたスキャン画像の印刷を行わないことを特徴とする。
【手続補正２】
【補正対象書類名】特許請求の範囲
【補正対象項目名】全文
【補正方法】変更
【補正の内容】
【特許請求の範囲】
【請求項１】
反復埋め込み方式のコードを含む原稿をスキャンするスキャン手段と、
スキャン画像に単純埋め込み方式のコードを合成する設定が行われたか、反復埋め込み方式のコードを合成する設定が行われたかを判定する判定手段と、
前記判定手段でスキャン画像に単純埋め込み方式のコードを合成する設定が行われたと判定した場合には、前記スキャンにより得られたスキャン画像と前記単純埋め込み方式のコードを合成する合成手段と、
印刷手段とを有し、
前記印刷手段は、
前記判定手段でスキャン画像に単純埋め込み方式のコードを合成する設定が行われたと判定した場合には、前記合成手段による合成結果を印刷し、
前記判定手段でスキャン画像に対して反復埋め込み方式のコードを合成する設定が行われたと判定した場合には、前記スキャンにより得られたスキャン画像の印刷を行わないことを特徴とする装置。
【請求項２】
前記合成手段は、
前記判定手段でスキャン画像に単純埋め込み方式のコードを合成する設定が行われたと判定した場合には、前記スキャンにより得られたスキャン画像における前記反復埋め込み方式のコードが含まれていた位置と重なる位置に前記単純埋め込み方式のコードを合成することを特徴とする請求項１に記載の装置。
【請求項３】
前記スキャンにより得られたスキャン画像に反復埋め込み方式のコードが含まれているか判定する手段をさらに有することを特徴とする請求項１又は２に記載の装置。
【請求項４】
前記スキャン手段は、さらに、単純埋め込み方式のコードを含む原稿をスキャンすることが可能となっており、
前記判定手段でスキャン画像に単純埋め込み方式のコードを合成する設定が行われたと判定した場合には、
前記合成手段は、前記スキャンにより得られた単純埋め込み方式のコードを含むスキャン画像における前記単純埋め込み方式のコードが含まれていた位置に応じた領域に、前記合成する設定が行われている単純埋め込み方式のコードを合成し、
前記印刷手段は、前記領域に前記単純埋め込み方式のコードが合成された画像を印刷することを特徴とする請求項１乃至３の何れか１項に記載の装置。
【請求項５】
前記合成手段で前記スキャンにより得られたスキャン画像と前記単純埋め込み方式のコードとを合成する前に、
当該スキャン画像に対して処理を行う画像処理手段を有することを特徴とする請求項１乃至４の何れか１項に記載の装置。
【請求項６】
前記スキャン手段は、さらに、単純埋め込み方式のコードを含む原稿をスキャンすることが可能となっており、
前記判定手段でスキャン画像に反復埋め込み方式のコードを合成する設定が行われたと判定した場合には、
前記合成手段は、
前記スキャンにより得られた単純埋め込み方式のコードを含むスキャン画像における、前記単純埋め込み方式のコードが含まれていた位置に重ならないように反復埋め込み方式のコードを合成し、
前記印刷手段は、
前記単純埋め込み方式のコードが含まれていた位置に重ならないように反復埋め込み方式のコードが合成された画像を印刷することを特徴とする請求項１乃至５の何れか１項に記載の装置。
【請求項７】
反復埋め込み方式のコードを含む原稿をスキャンするスキャンステップと、
スキャン画像に単純埋め込み方式のコードを合成する設定が行われたか、反復埋め込み方式のコードを合成する設定が行われたかを判定する判定ステップと、
前記判定ステップでスキャン画像に単純埋め込み方式のコードを合成する設定が行われたと判定した場合には、前記スキャンにより得られたスキャン画像と前記単純埋め込み方式のコードを合成する合成ステップと、
印刷ステップとを有し、
前記印刷ステップは、
前記判定ステップでスキャン画像に単純埋め込み方式のコードを合成する設定が行われたと判定した場合には、前記合成ステップによる合成結果を印刷し、
前記判定ステップでスキャン画像に対して反復埋め込み方式のコードを合成する設定が行われたと判定した場合には、前記スキャンにより得られたスキャン画像の印刷を行わないことを特徴とする方法。
【請求項８】
前記合成ステップは、
前記判定ステップでスキャン画像に単純埋め込み方式のコードを合成する設定が行われたと判定した場合には、前記スキャンにより得られたスキャン画像における前記反復埋め込み方式のコードが含まれていた位置と重なる位置に前記単純埋め込み方式のコードを合成することを特徴とする請求項７に記載の方法。
【請求項９】
前記スキャンにより得られたスキャン画像に反復埋め込み方式のコードが含まれているか判定するステップをさらに有することを特徴とする請求項７又は８に記載の方法。
【請求項１０】
前記スキャンステップは、さらに、単純埋め込み方式のコードを含む原稿をスキャンすることが可能となっており、
前記判定ステップでスキャン画像に単純埋め込み方式のコードを合成する設定が行われたと判定した場合には、
前記合成ステップは、前記スキャンにより得られた単純埋め込み方式のコードを含むスキャン画像における前記単純埋め込み方式のコードが含まれていた位置に応じた領域に、前記合成する設定が行われている単純埋め込み方式のコードを合成し、
前記印刷ステップは、前記領域に前記単純埋め込み方式のコードが合成された画像を印刷することを特徴とする請求項７乃至９の何れか１項に記載の方法。
【請求項１１】
前記合成ステップで前記スキャンにより得られたスキャン画像と前記単純埋め込み方式のコードとを合成する前に、
当該スキャン画像に対して処理を行う画像処理ステップを有することを特徴とする請求項７乃至１０の何れか１項に記載の方法。
【請求項１２】
前記スキャンステップは、さらに、単純埋め込み方式のコードを含む原稿をスキャンすることが可能となっており、
前記判定ステップでスキャン画像に反復埋め込み方式のコードを合成する設定が行われたと判定した場合には、
前記スキャンにより得られた単純埋め込み方式のコードを含むスキャン画像における、前記単純埋め込み方式のコードが含まれていた位置に重ならないように反復埋め込み方式のコードを合成し、
前記印刷ステップは、
前記単純埋め込み方式のコードが含まれていた位置に重ならないように反復埋め込み方式のコードが合成された画像を印刷することを特徴とする請求項７乃至１１の何れか１項に記載の方法。
【請求項１３】
反復埋め込み方式のコードを含む原稿をスキャンするスキャン手段と、
スキャン画像に単純埋め込み方式のコードを合成する設定が行われたか、反復埋め込み方式のコードを合成する設定が行われたかを判定する判定手段と、
前記判定手段でスキャン画像に単純埋め込み方式のコードを合成する設定が行われたと判定した場合には、前記スキャンにより得られたスキャン画像と前記単純埋め込み方式のコードを合成する合成手段と、
印刷手段とを有し、
前記印刷手段は、
前記判定手段でスキャン画像に単純埋め込み方式のコードを合成する設定が行われたと判定した場合には、前記合成手段による合成結果を印刷し、
前記判定手段でスキャン画像に対して反復埋め込み方式のコードを合成する設定が行われたと判定した場合には、前記スキャンにより得られたスキャン画像の印刷を行わないことを特徴とするシステム。
【請求項１４】
前記合成手段は、
前記判定手段でスキャン画像に単純埋め込み方式のコードを合成する設定が行われたと判定した場合には、前記スキャンにより得られたスキャン画像における前記反復埋め込み方式のコードが含まれていた位置と重なる位置に前記単純埋め込み方式のコードを合成することを特徴とする請求項１３に記載のシステム。
【請求項１５】
前記スキャンにより得られたスキャン画像に反復埋め込み方式のコードが含まれているか判定する手段をさらに有することを特徴とする請求項１３又は１４に記載のシステム。
【請求項１６】
前記スキャン手段は、さらに、単純埋め込み方式のコードを含む原稿をスキャンすることが可能となっており、
前記判定手段でスキャン画像に単純埋め込み方式のコードを合成する設定が行われたと判定した場合には、
前記合成手段は、前記スキャンにより得られた単純埋め込み方式のコードを含むスキャン画像における前記単純埋め込み方式のコードが含まれていた位置に応じた領域に、前記合成する設定が行われている単純埋め込み方式のコードを合成し、
前記印刷手段は、前記領域に前記単純埋め込み方式のコードが合成された画像を印刷することを特徴とする請求項１３乃至１６の何れか１項に記載のシステム。
【請求項１７】
前記合成手段で前記スキャンにより得られたスキャン画像と前記単純埋め込み方式のコードとを合成する前に、
当該スキャン画像に対して処理を行う画像処理手段を有することを特徴とする請求項１３乃至１６の何れか１項に記載のシステム。
【請求項１８】
前記スキャン手段は、さらに、単純埋め込み方式のコードを含む原稿をスキャンすることが可能となっており、
前記判定手段でスキャン画像に反復埋め込み方式のコードを合成する設定が行われたと判定した場合には、
前記合成手段は、
前記スキャンにより得られた単純埋め込み方式のコードを含むスキャン画像における、前記単純埋め込み方式のコードが含まれていた位置に重ならないように反復埋め込み方式のコードを合成し、
前記印刷手段は、
前記単純埋め込み方式のコードが含まれていた位置に重ならないように反復埋め込み方式のコードが合成された画像を印刷することを特徴とする請求項１３乃至１７の何れか１項に記載のシステム。
【請求項１９】
請求項７乃至１２の何れか１項に記載の方法をコンピュータに実行させるためのプログラム。